(57)【要約】【課題】表示手段に表示された画像の保存時に一時的にソフトウェアキー等の入力操作部が表示される場合に、入力操作部の表示の有無によって画像ファイルのサイズが変動してしまうことがなく、印刷時と保存時とで画像ファイルのページ数が異なってしまうのを防止した携帯端末装置等を提供する。【解決手段】表示手段１５に表示された画像について画像ファイルを生成し、記憶手段に保存するとともに、保存に際して、画像ファイルに関する情報をユーザーが入力するのに用いられる入力操作部１５２を表示手段に一時的に表示させ、情報入力の完了により入力操作部を非表示にする制御手段１１を備える。制御手段は、情報入力の完了から入力操作部が非表示となるのに十分な待ち時間の経過後に、画像ファイルを生成し記憶手段に保存する。【選択図】  図７
2015215765.tif 000002
【特許請求の範囲】
【請求項１】
表示手段と、
前記表示手段に表示された画像について画像ファイルを生成し、内蔵されたあるいは外部の記憶手段に保存するとともに、前記保存に際して、前記画像ファイルに関する情報をユーザーが入力するのに用いられる入力操作部を前記表示手段に一時的に表示させ、情報入力の完了により前記入力操作部を非表示にする制御手段と、
を備え、
前記制御手段は、前記情報入力の完了から前記入力操作部が非表示となるのに十分な待ち時間の経過後に、前記画像ファイルを生成し前記記憶手段に保存することを特徴とする携帯端末装置。
【請求項２】
前記入力操作部はソフトウェアキーボードである請求項１に記載の携帯端末装置。
【請求項３】
前記待ち時間の開始は前記情報入力の完了を示すボタンが押されたタイミングである請求項１または２に記載の携帯端末装置。
【請求項４】
前記制御手段による、待ち時間の経過後に画像ファイルを生成して前記記憶手段に保存する処理を行うかどうかをユーザーが設定可能な設定手段を備えている請求項１〜３のいずれかに記載の携帯端末装置。
【請求項５】
前記待ち時間は自装置の種類によって変更可能である請求項１〜４のいずれかに記載の携帯端末装置。
【請求項６】
前記待ち時間は前記入力操作部の入力形式によって変更可能である請求項１〜４のいずれかに記載の携帯端末装置。
【請求項７】
前記画像ファイルの生成は、前記表示手段に表示されている画像をキャプチャしページ分割する処理を含む請求項１〜６のいずれかに記載の携帯端末装置。
【請求項８】
前記表示手段に表示されている画像は、ウェブページの画像またはカメラの撮影画像である請求項１〜７のいずれかに記載の携帯端末装置。
【請求項９】
前記入力操作部は、前記画像ファイルのファイル名を文字列で入力する際に前記表示手段に表示される請求項１〜８のいずれかに記載の携帯端末装置。
【請求項１０】
前記入力操作部は、前記画像ファイルの保存先を文字列で入力する際に前記表示手段に表示される請求項１〜８のいずれかに記載の携帯端末装置。
【請求項１１】
前記入力操作部は、前記画像ファイルの保存先の新規フォルダ名を文字列で入力する際に前記表示手段に表示される請求項１〜８のいずれかに記載の携帯端末装置。
【請求項１２】
表示手段を備えた携帯端末装置で実施される画像ファイルの保存処理方法であって、
前記表示手段に表示された画像について画像ファイルを生成し、前記携帯端末装置に内蔵されたあるいは外部の記憶手段に保存するとともに、前記保存に際して、前記画像ファイルに関する情報をユーザーが入力するのに用いられる入力操作部を前記表示手段に一時的に表示させ、情報入力の完了により前記入力操作部を非表示にする制御ステップを備え、
前記制御ステップでは、前記情報入力の完了から前記入力操作部が非表示となるのに十分な待ち時間の経過後に、前記画像ファイルを生成し前記記憶手段に保存する携帯端末装置における画像ファイルの保存処理方法。
【請求項１３】
表示手段を備えた携帯端末装置のコンピュータに、
前記表示手段に表示された画像について画像ファイルを生成し、前記携帯端末装置に内蔵されたあるいは外部の記憶手段に保存するとともに、前記保存に際して、前記画像ファイルに関する情報をユーザーが入力するのに用いられる入力操作部を前記表示手段に一時的に表示させ、情報入力の完了により前記入力操作部を非表示にする制御ステップを実行させ、
前記制御ステップでは、前記情報入力の完了から前記入力操作部が非表示となるのに十分な待ち時間の経過後に、前記画像ファイルを生成し前記記憶手段に保存する処理を実行させるための画像ファイルの保存処理プログラム。
【発明の詳細な説明】
【技術分野】
【０００１】
この発明は、スマートフォン、タブケット端末等の携帯端末装置、同装置で実施される画像ファイルの保存処理方法及び保存処理プログラムに関する。
【背景技術】
【０００２】
上記のような携帯端末装置には、表示部に表示したウェブページ上の画像や搭載カメラでの撮影画像等を画像ファイルとして保存する場合に、ファイル名や保存先等をユーザーが入力するのに用いられるソフトウェアキーボード等の入力操作部を一時的に表示させる機能を備えたものがある。また、画像を印刷する場合に、印刷対象のファイルをファイル形式のまま印刷装置に送信するダイレクトプリント機能を備えたものもある。
【０００３】
これらの機能を備えた携帯端末装置では、表示部に表示された画像の保存と印刷に関して、携帯端末装置の機種によっては以下のような欠点があった。
【０００４】
なお、特許文献１には、利用者毎に環境が異なっても、あるいは文書作成時に使用したアプリケーションに依存する問題があっても、Ｗｅｂ上で確認したイメージ通りの印刷が行え、文字フォントの置き換えや文字化け、２ページに跨って印刷されるなどの問題を防止した印刷相違解消システムが開示されている。
【０００５】
具体的には、センターシステムにおいて、イメージデータ作成サーバはインターネット経由でＷＷＷサーバが受信した利用者端末からの文書データの文字をチェックした後、この文書データをページ概念を持つ汎用的なイメージデータに変換し、文書保存サーバはこの変換されたイメージデータを保存し、ＷＷＷサーバは保存されたイメージデータを読み出してＷｅｂ上に掲示し、利用者はブラウザを使用して確認し、承認された場合は、イメージデータをプリンタに印刷出力するというものである。
【先行技術文献】
【特許文献】
【０００６】
【特許文献１】特開２００１−２２８９８２号公報
【発明の概要】
【発明が解決しようとする課題】
【０００７】
即ち、ある種の基本ＯＳを用いた携帯端末装置では、画像の保存時に一時的に表示されるソフトウェアキーボード等の入力操作部の表示状態を検知できないため、入力操作部の表示の有無によって画像ファイルのサイズが変動してしまう。このため、入力操作部が表示されないダイレクトプリント時と入力操作部が表示される保存時とで画像ファイルのページ数が異なってしまう恐れがあり、一旦保存した画像ファイルを再度印刷したときに、前回の印刷時とページ数が異なり、印刷設定が変わってしまうというという問題がある。
【０００８】
このような問題は、上述の特許文献１に記載の技術を参照しても、解消することはできない。
【０００９】
この発明は、このような技術的背景に鑑みてなされたものであって、表示手段に表示された画像の保存時に一時的にソフトウェアキー等の入力操作部が表示される場合であっても、入力操作部の表示の有無によって画像ファイルのサイズが変動してしまうことがなく、印刷時と保存時とで画像ファイルのページ数が異なってしまうのを防止した携帯端末装置、画像ファイルの保存処理方法及び保存処理プログラムの提供を課題とする。
【課題を解決するための手段】
【００１０】
上記課題は、以下の手段によって解決される。
（１）表示手段と、前記表示手段に表示された画像について画像ファイルを生成し、内蔵されたあるいは外部の記憶手段に保存するとともに、前記保存に際して、前記画像ファイルに関する情報をユーザーが入力するのに用いられる入力操作部を前記表示手段に一時的に表示させ、情報入力の完了により前記入力操作部を非表示にする制御手段と、を備え、前記制御手段は、前記情報入力の完了から前記入力操作部が非表示となるのに十分な待ち時間の経過後に、前記画像ファイルを生成し前記記憶手段に保存することを特徴とする携帯端末装置。
（２）前記入力操作部はソフトウェアキーボードである前項１に記載の携帯端末装置。
（３）前記待ち時間の開始は前記情報入力の完了を示すボタンが押されたタイミングである前項１または２に記載の携帯端末装置。
（４）前記制御手段による、待ち時間の経過後に画像ファイルを生成して前記記憶手段に保存する処理を行うかどうかをユーザーが設定可能な設定手段を備えている前項１〜３のいずれかに記載の携帯端末装置。
（５）前記待ち時間は自装置の種類によって変更可能である前項１〜４のいずれかに記載の携帯端末装置。
（６）前記待ち時間は前記入力操作部の入力形式によって変更可能である前項１〜４のいずれかに記載の携帯端末装置。
（７）前記画像ファイルの生成は、前記表示手段に表示されている画像をキャプチャしページ分割する処理を含む前項１〜６のいずれかに記載の携帯端末装置。
（８）前記表示手段に表示されている画像は、ウェブページの画像またはカメラの撮影画像である前項１〜７のいずれかに記載の携帯端末装置。
（９）前記入力操作部は、前記画像ファイルのファイル名を文字列で入力する際に前記表示手段に表示される前項１〜８のいずれかに記載の携帯端末装置。
（１０）前記入力操作部は、前記画像ファイルの保存先を文字列で入力する際に前記表示手段に表示される前項１〜８のいずれかに記載の携帯端末装置。
（１１）前記入力操作部は、前記画像ファイルの保存先の新規フォルダ名を文字列で入力する際に前記表示手段に表示される前項１〜８のいずれかに記載の携帯端末装置。
（１２）表示手段を備えた携帯端末装置で実施される画像ファイルの保存処理方法であって、前記表示手段に表示された画像について画像ファイルを生成し、前記携帯端末装置に内蔵されたあるいは外部の記憶手段に保存するとともに、前記保存に際して、前記画像ファイルに関する情報をユーザーが入力するのに用いられる入力操作部を前記表示手段に一時的に表示させ、情報入力の完了により前記入力操作部を非表示にする制御ステップを備え、前記制御ステップでは、前記情報入力の完了から前記入力操作部が非表示となるのに十分な待ち時間の経過後に、前記画像ファイルを生成し前記記憶手段に保存する携帯端末装置における画像ファイルの保存処理方法。
（１３）表示手段を備えた携帯端末装置のコンピュータに、前記表示手段に表示された画像について画像ファイルを生成し、前記携帯端末装置に内蔵されたあるいは外部の記憶手段に保存するとともに、前記保存に際して、前記画像ファイルに関する情報をユーザーが入力するのに用いられる入力操作部を前記表示手段に一時的に表示させ、情報入力の完了により前記入力操作部を非表示にする制御ステップを実行させ、前記制御ステップでは、前記情報入力の完了から前記入力操作部が非表示となるのに十分な待ち時間の経過後に、前記画像ファイルを生成し前記記憶手段に保存する処理を実行させるための画像ファイルの保存処理プログラム。
【発明の効果】
【００１１】
前項（１）に記載の発明によれば、画像ファイルに関する情報をユーザーが入力するのに用いられる入力操作部が、表示手段に一時的に表示されても、情報入力の完了から入力操作部が非表示となるのに十分な待ち時間の経過後に、画像ファイルが生成され記憶手段に保存されるから、入力操作部が確実に非表示となった状態で画像ファイルが生成され保存されることになる。つまり、入力操作部の表示の有無に影響を受けることなく、画像ファイルが生成され保存されるから、入力操作部の表示の有無によって画像ファイルのサイズが変動してしまう不都合を解消でき、印刷時と保存時とで画像ファイルのページ数が異なってしまう問題を解決できる。
【００１２】
前項（２）に記載の発明によれば、入力操作部としてのソフトウェアキーボードの表示の有無によって、画像の印刷時と保存時とで画像ファイルのサイズが変動するのを防止できる。
【００１３】
前項（３）に記載の発明によれば、情報入力の完了を示すボタンが押されたタイミングから待ち時間のカウントが開始される。
【００１４】
前項（４）に記載の発明によれば、待ち時間の経過後に画像ファイルを生成して保存する処理を行うかどうかを、ユーザーが設定することができる。
【００１５】
前項（５）に記載の発明によれば、たとえば、高性能の機種では入力操作部が非表示となるまでの時間も短いから待ち時間を短くする等、待ち時間を自装置の種類によって変更することができる。この結果、待ち時間が固定されている場合に、高性能の機種ではユーザーの待ち時間が長くなる等の不都合がなくなる。
【００１６】
前項（６）に記載の発明によれば、待ち時間は入力操作部の入力形式、たとえばひらがな入力、ローマ字入力、英数字入力等によって変更可能となる。
【００１７】
前項（７）に記載の発明によれば、画像ファイルの生成に際し、表示手段に表示されている画像をキャプチャしページ分割する処理が行われる。
【００１８】
前項（８）に記載の発明によれば、ウェブページの画像またはカメラ撮影画像の場合に、画像の保存時と印刷時とで画像ファイルのページ数が異なってしまうのを防止できる。
【００１９】
前項（９）に記載の発明によれば、画像ファイルのファイル名を文字列で入力する際に入力操作部が表示されるときの画像ファイルのサイズ変動を防止できる。
【００２０】
前項（１０）に記載の発明によれば、画像ファイルの保存先を文字列で入力する際に入力操作部が表示されるときの画像ファイルのサイズ変動を防止できる。
【００２１】
前項（１１）に記載の発明によれば、画像ファイルの保存先の新規フォルダ名を文字列で入力する際に入力操作部が表示されるときの画像ファイルのサイズ変動を防止できる。
【００２２】
前項（１２）に記載の発明によれば、入力操作部の表示の有無に影響を受けることなく、画像ファイルが生成され保存されるから、入力操作部の表示の有無によって画像ファイルのサイズが変動してしまう不都合を解消でき、印刷時と保存時とで画像ファイルのページ数が異なってしまう問題を解決できる。
【００２３】
前項（１３）に記載の発明によれば、入力操作部の表示の有無に影響を受けることなく、画像ファイルを生成し保存することにより、入力操作部の表示の有無によって画像ファイルのサイズが変動してしまう不都合を解消でき、印刷時と保存時とで画像ファイルのページ数が異なってしまう問題を解決できる処理を、携帯端末装置のコンピュータに実行させることができる。
【図面の簡単な説明】
【００２４】
【図１】この発明の一実施形態に係る携帯端末装置を備えた通信システムの構成図である。
【図２】携帯端末装置の機能構成を示すブロック図である。
【図３】携帯端末装置の表示手段に表示された画像を記憶手段に保存するときに表示手段に表示される画面を示す図である。
【図４】携帯端末装置の表示手段に表示された画像を印刷するときに表示手段に表示される画面を示す図である。
【図５】携帯端末装置の表示手段に表示された画像を記憶手段に保存するときの、携帯端末装置の従来の動作を示すフローチャートである。
【図６】携帯端末装置の表示手段に表示された画像を画像処理装置で印刷するときの、携帯端末装置の動作を示すフローチャートである。
【図７】携帯端末装置の表示手段に表示された画像を記憶手段に保存するときの、この実施形態における携帯端末装置の動作を示すフローチャートである。
【発明を実施するための形態】
【００２５】
以下、この発明の実施形態を図面に基づいて説明する。
【００２６】
図１は、この発明の一実施形態に係る携帯端末装置を備えた通信システムの構成図である。
【００２７】
このシステムは、スマートフォンやタブレット端末等からなる携帯端末装置１と、１台または複数台の画像処理装置２と、ウェブサーバ３とパーソナルコンピュータ４等を備え、これらが有線あるいは無線によるネットワーク５を介して相互に接続されている。
【００２８】
この実施形態では、前記画像処理装置２として、コピー機能、プリンタ機能、ファクシミリ機能、スキャン機能等の複数の機能を複合した多機能デジタル画像形成装置であるＭＦＰ（Multi Function Peripherals）が用いられている。
【００２９】
図２は、前記携帯端末装置１の機能構成を示すブロック図である。
【００３０】
携帯端末装置１は、ＣＰＵ１１と、ＲＯＭ１２と、ＲＡＭ１３と、記憶部１４と、表示部１５と、タッチパネル１６と、通信インターフェース（通信ＩＦ）１７と、カメラ１８等を備えている。
【００３１】
前記ＣＰＵ１１は、搭載されているＯＳ（Operating System）、各種のデータ処理用のアプリケーション、画像処理装置２を操作するためのアプリケーション等に基づいて、携帯端末装置１の全体を統括的に制御するが、具体的な制御内容については後述する。
【００３２】
前記ＲＯＭ１２は、前記ＣＰＵ１１の動作プログラム等が格納されているメモリであり、ＲＡＭ１３は、前記ＣＰＵ１１が動作プログラムを実行する際の作業領域を提供するメモリである。
【００３３】
前記記憶部１４は、前記ＯＳ、アプリケーション、表示部１５に表示された画像についての画像ファイル等を保存するメモリである。
【００３４】
表示部１５は、ウェブページの画像またはカメラ撮影画像等の各種の画像、ユーザーに対する操作画面、メッセージ等を表示したり、ユーザー操作に使用されるものであり、液晶等の表示デバイスにより構成されている。また、タッチパネル１６は表示部１５の画面上に設けられ、ユーザーのタッチ操作を検出して、タッチされた座標等を特定するものである。
【００３５】
前記通信インターフェース１７は、電話回線を通じて通話を行ったり、アクセスポイントを介して無線通信により画像処理装置２やウェブサーバ３等とデータの送受を行うためのものである。前記カメラ１８は、各種の被写体を撮影するものである。
【００３６】
次に、携帯端末装置１による画像の保存時と印刷時の動作を説明する。
【００３７】
図３は、携帯端末装置１の表示部１５に表示された画像を記憶部１４や外部の記憶装置に保存するときに表示部１５に表示される画面を示す図である。この例では、図示しない保存ボタンを操作すると、ファイル名設定ダイアログ１５１が表示されるとともに、ソフトウェアキーボード１５２が表示される。
【００３８】
ファイル名設定ダイアログ１５１には、ファイル名、保存先、フォルダ名の各入力欄１５１ａ〜１５１ｃが表示されるとともに、ＯＫボタン１５１ｄとキャンセルボタン１５１ｅが表示されている。ＯＫボタン１５１ｄは情報入力を完了・確定して保存動作を実行するためのボタンであり、キャンセルボタン１５１ｅは保存操作をキャンセルするためのボタンである。なお、保存先やフォルダ名は既に存在している保存先やフォルダ名を選択しても良いし、新規なフォルダを文字列を入力することで新規に作成しても良い、
ソフトウェアキーボード１５２は、ファイル名等の各入力欄に直接に文字列を入力するための入力操作部として機能し、各文字を入力するためのボタン等が表示されている。
【００３９】
この実施形態ではＯＫボタン１５１ｄが押されると、ソフトウェアキーボード１５２が閉じるものとなされている。なお、ソフトウェアキーボード１５２に保存動作を実行するためのボタン１５２ａを表示し、該ボタン１５２ａが押されると情報入力が完了・確定してソフトウェアキーボード１５２を閉じ、保存動作を実行する構成であってもよい。
【００４０】
図４は、携帯端末装置１の表示部１５に表示された画像を印刷するときに表示部１５に表示される画面を示す図である。この例では、図示しない印刷ボタンを操作すると、印刷内容設定ダイアログ１５３が表示される。ただし、ソフトウェアキーボードは表示されない。
【００４１】
印刷内容設定ダイアログ１５３には、ページ全体を印刷するか表示領域のみを印刷するかの選択ボックス１５３ａ、１５３ｂとＯＫボタン１５３ｃとキャンセルボタン１５３ｄが表示されている。ＯＫボタン１５３ｃは印刷設定を確定して印刷動作を実行するためのボタンであり、キャンセルボタン１５３ｄは印刷操作をキャンセルするためのボタンである。
【００４２】
図５は、携帯端末装置１の表示部１５に表示された画像を、記憶部１４あるいは画像処理装置２等に備えられた外部の記憶装置に保存するときの、携帯端末装置１の従来の動作を示すフローチャートである。この動作は、携帯端末装置１のＣＰＵ１１が記憶部１４等に格納されたアプリケーションに基づいて実行される。
【００４３】
ステップＳ０１で、表示部１５にファイル名設定ダイアログ１５１とソフトウェアキーボート１５２を表示させる。ユーザーがファイル名、保存先、フォルダ名等の必要な情報を入力してＯＫボタン１５１ｄを押すか、またはキャンセルボタン１５１ｅを押すと、ステップ０２でこれを受け付け、ステップＳ０３でソフトウェアキーボート１５２を閉じる。
【００４４】
次いで、ステップＳ０４では、ユーザーによりＯＫボタン１５１ｄかキャンセルボタン１５１ｅのいずれが押されたかを判断する。ＯＫボタン１５１ｄが押されている場合は（ステップＳ０４でＯＫボタン）、ステップＳ０５に進み、表示部１５の表示ページをキャプチャする。キャプチャはたとえばＯＳが有するメソッドを呼び出して実行する。
【００４５】
ステップＳ０６では、キャプチャした画像を１ページ毎に分割し、さらにステップＳ０７で、分割した画像をＰＤＦ（Portable Document Format）に変換する。そしてステップＳ０８で記憶部１４や外部の記憶装置への保存を実行する。
【００４６】
ステップＳ０４において、キャンセルボタン１５１ｅが押された場合は（ステップＳ０４でキャンセルボタン）、ステップＳ０９に進み、ファイル名設定ダイアログ１５１を閉じる。
【００４７】
図６は、携帯端末装置１の表示部１５に表示された画像を画像処理装置２で印刷するときの、携帯端末装置１の動作を示すフローチャートである。この動作は、携帯端末装置１のＣＰＵ１１が記憶部１４等に格納された印刷用アプリケーションに基づいて実行される。
【００４８】
ステップＳ１１で、表示部１５に印刷内容設定ダイアログ１５３を表示させる。ユーザーが所期する印刷設定を行いＯＫボタン１５３ｃを押すかまたはキャンセルボタン１５３ｄを押すと、ステップ１２でこれを受け付ける。
【００４９】
次いで、ステップＳ１３では、ユーザーによりＯＫボタン１５３ｃかキャンセルボタン１５１ｅ３ｄのいずれが押されたかを判断する。ＯＫボタン１５３ｃが押されている場合は（ステップＳ１３でＯＫボタン）、ステップＳ１４に進み、表示部１５の表示ページをキャプチャした後、ステップＳ１５で、キャプチャした画像を１ページ毎に分割し、さらにステップＳ１６で、分割した画像をＰＤＦに変換する。そしてステップＳ１７で、通信インターフェース１７を介して生成した画像ファイルを印刷設定とともに画像処理装置２に送信し、印刷を実行する。
【００５０】
ステップＳ１４において、キャンセルボタン１５３ｄが押された場合は（ステップＳ１４でキャンセルボタン）、ステップＳ１８に進み、印刷内容設定ダイアログ１５１を閉じる。
【００５１】
図５のフローチャートからも理解されるように、従来の保存処理では、ステップＳ０３でＯＫボタン１５１ｄが押されると、ソフトウェアキーボート１５２を閉じて直ちに画像のキャプチャが行われていた。しかし、携帯端末装置１はソフトウェアキーボート１５２の表示状態を検出できないため、ソフトウェアキーボート１５２が完全に閉じる前に画像がキャプチャされる恐れがある。携帯端末装置１の表示エリアに対して表示される画像サイズが小さい場合は余白領域が付加され、この余白領域はソフトウェアキーボート１５２の表示により調整されて小さくなっていると考えられる。このため、この状態で表示部１５の画像がキャプチャされると、画像全体のサイズが小さいままキャプチャされてしまう。このため、画像保存時のキャプチャサイズと、図６のフローチャートで説明した画像印刷時のキャプチャサイズが異なり、その結果、印刷時と保存時とでページ数が異なってしまい、このため保存した画像ファイルを次回に印刷したときに、最初の印刷時とはページ数が異なることとなり、ユーザーが混乱してしまう。
【００５２】
図７は、携帯端末装置１の表示部１５に表示された画像を、記憶部１４あるいは画像処理装置２等に備えられた外部の記憶装置に保存するときの、この実施形態における携帯端末装置１の動作を示すフローチャートである。この動作は、携帯端末装置１のＣＰＵ１１が記憶部１４等に格納されたアプリケーションに基づいて実行される。
【００５３】
ステップＳ２１で、表示部１５にファイル名設定ダイアログ１５１とソフトウェアキーボート１５２を表示させる。ユーザーがファイル名、保存先、フォルダ名等の必要な情報を入力してＯＫボタン１５１ｄを押すか、またはキャンセルボタン１５１ｅを押すと、ステップ２２でこれを受け付け、ステップＳ２３でソフトウェアキーボート１５２を閉じる。
【００５４】
次いで、ステップＳ２４では、ユーザーによりＯＫボタン１５１ｄかキャンセルボタン１５１ｅのいずれが押されたかを判断する。ＯＫボタン１５１ｄが押されている場合は（ステップＳ２４でＯＫボタン）、ステップＳ２５に進み、待ち時間経過後に画像ファイルを生成する設定がユーザーによってなされているかどうかを判断する。このようなユーザーによる設定は、携帯端末装置１の機能設定画面で予め行われている。
【００５５】
設定がなされていなければ（ステップＳ２５でＮＯ）、ステップＳ２９に進む。設定がなされていると（ステップＳ２５でＹＥＳ）、ステップＳ２６で、自装置の機種やソフトウェアキーボート１５２の入力形式、たとえばひらがな入力か、ローマ字入力か、英数字入力か等に応じて待ち時間を設定する。記憶部１４には、機種や入力形式に対応して、ソフトウェアキーボート１５２が非表示となるのにそれぞれ十分な複数の待ち時間を規定したテーブルが予め記憶されており、ＣＰＵ１１は機種や入力形式に対応する待ち時間をテーブルと照合して設定する（例えば２秒）。
【００５６】
なお、アプリケーションのインストール時に、機種や入力形式に対応する待ち時間を設定しておき、ステップＳ２６では、その設定された待ち時間をセットする構成であっても良い。また、待ち時間は機種のみあるいは入力形式のみに対応していても良いし、機種及び入力形式の組み合わせに対応していても良い。また、機種や入力形式にかかわらず、固定された時間であっても良い。
【００５７】
このように、待ち時間を、自装置の機種やソフトウェアキーボート１５２の入力形式によって変更するから、たとえば、高性能の機種では入力操作部が非表示となるまでの時間も短いから待ち時間を短くする等、待ち時間を自装置の種類やソフトウェアキーボート１５２の入力形式に応じて適切な値とすることができる。この結果、待ち時間が固定されている場合に、高性能の機種ではユーザーの待ち時間が長くなる等の不都合がなくなる。
【００５８】
次に、ステップＳ２７で、設定された待ち時間のカウントを開始した後、ステップＳ２８で待ち時間が終了したかどうかを判断する。終了していなければ（ステップＳ２８でＮＯ）、終了まで待つ。待ち時間が終了すると（ステップＳ２８でＹＥＳ）、ステップＳ２９に進む。
【００５９】
ステップＳ２９では、ＯＳが有するメソッドを呼び出して表示部１５の表示ページをキャプチャした後、ステップＳ３０で、キャプチャした画像を１ページ毎に分割し、さらにステップＳ３１で、分割した画像をＰＤＦに変換する。そして、ステップＳ３２で記憶部１４や外部の記憶装置への保存を実行する。
【００６０】
ステップＳ２４において、キャンセルボタン１５１ｅが押された場合は（ステップＳ２４でキャンセルボタン）、ステップＳ３３に進み、ファイル名設定ダイアログ１５１を閉じる。
【００６１】
このように、この実施形態では、ＯＫボタン１５１ｄが押され入力が完了したのち、ソフトウェアキーボート１５２が非表示となるのに十分な待ち時間が経過してからでないと、画像キャプチャは行われないから、ソフトウェアキーボート１５２が確実に非表示になった状態で画像キャプチャが行われることになる。つまり、ソフトウェアキーボート１５２の表示の有無に影響を受けることなく、画像ファイルが生成され保存されるから、ソフトウェアキーボート１５２の表示の有無によって画像ファイルのサイズが変動してしまう不都合を解消でき、印刷時と保存時とで画像ファイルのページ数が異なってしまう問題を解決できる。
【００６２】
以上、  本発明の一実施形態を説明したが、本発明は上記実施形態に限定されることはない。
【００６３】
たとえば、ウェブページの画像やガメラ１８による撮影画像を保存したり印刷する場合を例示したが、表示画像の保存と印刷が可能であれば、画像の種類は問わない。
【００６４】
また、入力操作部がソフトウェアキーボート１５２である場合を説明したが、ソフトウェアキーボート１５２に限定されることはなく、表示部１５に表示された画像について生成した画像ファイルに関する情報をユーザーが入力するために表示されるものであれば良い。
【符号の説明】
【００６５】
１      携帯端末装置
１１    ＣＰＵ
１４    記憶部
１５    表示部
１７    通信インターフェース
１８    カメラ
１５２  ソフトウェアキーボート（入力操作部）
１５１ｄ  ＯＫボタン
【図１】
2015215765.tif 000003
【図２】
2015215765.tif 000004
【図３】
2015215765.tif 000005
【図４】
2015215765.tif 000006
【図５】
2015215765.tif 000007
【図６】
2015215765.tif 000008
【図７】
2015215765.tif 000009